【手続補正書】
【提出日】平成29年3月14日(2017.3.14)
【手続補正１】
【補正対象書類名】明細書
【補正対象項目名】０１４０
【補正方法】変更
【補正の内容】
【０１４０】
本発明の範囲及び趣旨から逸脱することなく本発明に様々な改変及び変更を行い得ることは当業者には明らかであろう。本発明は、本明細書に記載される例示的な実施形態及び実施例によって不要に限定されるものではなく、またこうした実施例及び実施形態はあくまで例として示されるものにすぎず、本発明の範囲は、本明細書に記載される「特許請求の範囲」によってのみ限定されるものとして理解されるべきである。
本開示は以下も包含する。
［１］  使用者の身体部分に圧迫を加えるための圧迫装置であって、
前記使用者の身体部分の一部を実質的に覆うためのスリーブを備え、
前記スリーブが、外側表面、内側表面、上縁部、下縁部、及び２つの側縁部を有し、第１の側縁部から第２の側縁部にかけての横断方向において、前記スリーブが、第１の側部領域、中央領域、及び第２の側部領域を有し、前記スリーブの少なくとも前記中央領域が、少なくとも前記スリーブの横断方向における弾性として、１０Ｎ／ｃｍ幅の荷重下で５％〜最大３０％以下の前記横断方向における最大伸長率を有し、かつ、伸長率２０％〜伸長率２５％における横断方向の張力の差分商が０．６Ｎ／ｃｍ幅／伸長率（％）以上である材料（主材料）を含み、
前記装置が解放可能な閉鎖システムを更に備え、使用時に前記閉鎖システムが閉鎖される際、前記スリーブが前記使用者の前記身体部分の周囲に拘束及び締め付けられるように、前記閉鎖システムが構成され、かつ前記スリーブに対して配置されている、圧迫装置。
［２］  前記伸長率２０％〜伸長率２５％における横断方向の張力の差分商が、０．８Ｎ／ｃｍ幅／伸長率（％）以上、具体的には１．０Ｎ／ｃｍ幅／伸長率（％）以上、より具体的には１．２Ｎ／ｃｍ幅／伸長率（％）以上、最も具体的には１．４Ｎ／ｃｍ幅／伸長率（％）以上である、上記態様１に記載の圧迫装置。
［３］  前記伸長率２０％〜伸長率２５％における横断方向の張力の差分商が、１２Ｎ／ｃｍ幅／伸長率（％）以下、具体的には１０Ｎ／ｃｍ幅／伸長率（％）以下、より具体的には８Ｎ／ｃｍ幅／伸長率（％）以下、最も具体的には６Ｎ／ｃｍ幅／伸長率（％）以下である、上記態様１又は上記態様２に記載の圧迫装置。
［４］  前記主材料の前記横断方向の最大伸長率が、１０Ｎ／ｃｍ幅の荷重下で６％以上、具体的には、１０Ｎ／ｃｍ幅の荷重下で７％以上である、上記態様１〜３のいずれかに記載の圧迫装置。
［５］  前記主材料の前記横断方向の最大伸長率が、１０Ｎ／ｃｍ幅の荷重下で２７％以下、具体的には、１０Ｎ／ｃｍ幅の荷重下で２５％以下、より具体的には、１０Ｎ／ｃｍ幅の荷重下で２３％以下である、上記態様１〜４のいずれかに記載の圧迫装置。
［６］  前記主材料の伸長率１５％〜伸長率２０％における横断方向の張力の差分商が、伸長率２０％〜伸長率２５％における横断方向の張力の差分商の７０％以下、具体的には、伸長率２０％〜伸長率２５％における横断方向の張力の差分商の５５％以下、より具体的には、伸長率２０％〜伸長率２５％における横断方向の張力の差分商の４５％以下、最も具体的には、伸長率２０％〜伸長率２５％における横断方向の張力の差分商の３５％以下である、上記態様１〜５のいずれかに記載の圧迫装置。
［７］  前記主材料の伸長率２５％〜伸長率３０％における横断方向の張力の差分商が、１．２Ｎ／ｃｍ幅／伸長率（％）以上、具体的には１．８Ｎ／ｃｍ幅／伸長率（％）以上、より具体的には２．４Ｎ／ｃｍ幅／伸長率（％）以上、最も具体的には３．０Ｎ／ｃｍ幅／伸長率（％）以上である、上記態様１〜６のいずれかに記載の圧迫装置。
［８］  前記主材料の伸長率２５％〜伸長率３０％における横断方向の張力の差分商が、２４Ｎ／ｃｍ幅／伸長率（％）以下、具体的には２０Ｎ／ｃｍ幅／伸長率（％）以下、より具体的には１６Ｎ／ｃｍ幅／伸長率（％）以下、最も具体的には１２Ｎ／ｃｍ幅／伸長率（％）以下である、上記態様１〜７のいずれかに記載の圧迫装置。
［９］  前記主材料の横断方向の回復伸長率が、８０％以上、具体的には８５％以上、より具体的には９０％以上、最も具体的には９５％以上である、上記態様１〜８のいずれかに記載の圧迫装置。
［１０］  前記主材料の横断方向の伸長率増加率が、３．５％以下である、上記態様１〜９のいずれかに記載の圧迫装置。
［１１］  前記主材料の伸長率３０％における横断方向の張力が、１０Ｎ／ｃｍ幅以上、具体的には１５Ｎ／ｃｍ幅以上、より具体的には２０Ｎ／ｃｍ幅以上、最も具体的には２５Ｎ／ｃｍ幅以上であり、かつ／又は、
前記主材料の１分間の保持後の伸長率３０％における横断方向の張力が、１０Ｎ／ｃｍ幅以上、具体的には１５Ｎ／ｃｍ幅以上、より具体的には２０Ｎ／ｃｍ幅以上、最も具体的には２５Ｎ／ｃｍ幅以上である、上記態様１〜１０のいずれかに記載の圧迫装置。
［１２］  前記主材料の伸長率３０％における横断方向の張力が、５５Ｎ／ｃｍ幅以下、具体的には５０Ｎ／ｃｍ幅以下、より具体的には４５Ｎ／ｃｍ幅以下、最も具体的には、４０Ｎ／ｃｍ幅／以下であり、
かつ／又は、
前記材料の１分間の保持後の伸長率３０％における横断方向の張力が、５５Ｎ／ｃｍ幅以下、具体的には５０Ｎ／ｃｍ幅以下、より具体的には４５Ｎ／ｃｍ幅以下、最も具体的には４０Ｎ／ｃｍ幅以下である、上記態様１〜１１のいずれかに記載の圧迫装置。
［１３］  前記主材料が、前記スリーブの長手方向に弾性を有する、上記態様１〜１２のいずれかに記載の圧迫装置。
［１４］  前記主材料の伸長率３０％における長手方向の張力に対する伸長率３０％における横断方向の張力の比が、１．８超であり、具体的には２．０以上、より具体的には２．２以上であり、
かつ／又は、
前記主材料の１分間の保持後の伸長率３０％における長手方向の張力に対する１分間の保持後の伸長率３０％における横断方向の張力の比が、１．８超であり、具体的には２．０以上、より具体的には２．２以上である、上記態様１〜１３のいずれかに記載の圧迫装置。
［１５］  前記主材料の内側表面から外側表面への水蒸気透過率が、２０００ｇ／（ｍ２・２４時間）以上、具体的には２２００ｇ／（ｍ２・２４時間）以上である、上記態様１〜１４のいずれかに記載の圧迫装置。
［１６］  前記主材料が、繊維性布地、具体的には織布又は編布、より具体的にはスペーサー編布、最も具体的には経編されたスペーサー布地を含む、上記態様１〜１５のいずれかに記載の圧迫装置。
［１７］  前記布地の坪量が、１００ｇ／ｍ２以上、具体的には１５０ｇ／ｍ２以上、より具体的には２００ｇ／ｍ２以上、更により具体的には２５０ｇ／ｍ２以上であり、かつ／又は、
前記布地の厚さが、０．５ｍｍ以上、具体的には１．０ｍｍ以上、より具体的には１．４ｍｍ以上、更により具体的には１．８ｍｍ以上であり、かつ／又は、
前記布地の厚さが、６．０ｍｍ以下、具体的には５．２ｍｍ以下、より具体的には４．４ｍｍ以下、更により具体的には３．６ｍｍ以下である、上記態様１６に記載の圧迫装置。
［１８］  前記主材料の横断方向及び／又は長手方向の曲げ長さが、２０ｃｍ以下、具体的には１５ｃｍ以下、より具体的には１０ｃｍ以下、最も具体的には５．０ｃｍ以下であり、かつ／又は、
前記主材料の横断方向及び／又は長手方向の曲げ剛性が、１５０ｍＮ・ｃｍ以下、具体的には１２５ｍＮ・ｃｍ以下、より具体的には７５ｍＮ・ｃｍ以下、最も具体的には３５ｍＮ・ｃｍ以下である、上記態様１〜１７のいずれかに記載の圧迫装置。
［１９］  前記中央領域の面積が、前記スリーブの全面積の少なくとも４０％（具体的には少なくとも４５％、より具体的には少なくとも５０％）であり、かつ／又は、
前記下縁部から前記上縁部までの前記スリーブの高さの２／３に相当する前記高さにおいて、前記スリーブの前記中央領域が、前記スリーブの横断方向に前記スリーブを横切って４０％以上延びる、上記態様１〜１８のいずれかに記載の圧迫装置。
［２０］  前記スリーブの前記中央領域の全面積の少なくとも８５％（具体的には少なくとも９０％、より具体的には少なくとも９５％）が、前記主材料で形成される、上記態様１〜１９のいずれかに記載の圧迫装置。
［２１］  前記第１の側部領域及び前記第２の側部領域の１０Ｎ／ｃｍの荷重下での横断方向の最大伸長率が、前記スリーブの前記中央領域の１０Ｎ／ｃｍの荷重下での横断方向の最大伸長率以下であり、かつ／又は、
前記第１の側部領域及び前記第２の側部領域の１０Ｎ／ｃｍの荷重下での長手方向の最大伸長率が、前記スリーブの前記中央領域の１０Ｎ／ｃｍの荷重下での長手方向の最大伸長率以下である、上記態様１〜２０のいずれかに記載の圧迫装置。
［２２］  前記身体部分が手足であり、前記スリーブが前記手足の少なくとも１つの主要筋を覆って延びるように、前記スリーブが前記手足の一部を覆うように構成及び配置され、前記主要筋が、以下の群、すなわち、前脛骨筋、ヒラメ筋、腓腹筋、大腿二頭筋、大腿直筋、内側広筋、中間広筋、外側広筋、前脛骨筋、ヒラメ筋、腓腹筋、大腿直筋、大腿二頭筋、及び外側広筋から選択されるか、又は、
前記身体部分が手足であり、前記スリーブが前記手足の少なくとも１つの主要筋を覆って延びるように、前記スリーブが前記手足の一部を覆うように構成及び配置され、前記主要筋が、以下の群、すなわち、橈側手根屈筋、尺側手根屈筋、長掌筋、腕橈骨筋、上腕二頭筋、上腕三頭筋、及び上腕筋から選択される、上記態様１〜２１のいずれかに記載の圧迫装置。
［２３］  前記スリーブ及び前記閉鎖システムが、使用時に、前記閉鎖システムの閉鎖に際して、前記スリーブの前記２つの側縁部同士が互いに引き寄せられるが、重なり合わないように構成及び配置される、上記態様１〜２２のいずれかに記載の圧迫装置。
［２４］  前記装置が舌部を更に備え、前記舌部が、使用時に前記舌部が前記スリーブの前記第１及び第２の側縁部に隣接して概ね中心に配置され、かつ前記スリーブの前記第１及び第２の側縁部に沿って延びるように前記スリーブに対して構成及び配置され、これにより、前記舌部が、前記使用者と、前記スリーブの前記第１の側縁部と前記第２の側縁部との間に画定される開口部との間に位置し、かつ各前記第１及び第２の側縁領域の少なくとも一部の下に位置することになる、上記態様１〜２３のいずれかに記載の圧迫装置。
［２５］  前記舌部が、その幅及び長さにほぼわたって延びる１個の補強材又は縦に延びる１個以上の細長い補強材を有し、かつ／又は
前記舌部が、発泡材、具体的には形状記憶発泡材、より具体的には高密度形状記憶発泡材を含む、上記態様２４に記載の圧迫装置。
［２６］  前記舌部が、発泡材の層、具体的には厚さ０．５ｍｍ以上〜１０ｍｍ以下の発泡材の層、より具体的には厚さ２ｍｍ以上〜６ｍｍ以下の発泡材の層を含む、上記態様２４又は２５に記載の圧迫装置。
［２７］  前記閉鎖システムが、前記スリーブの前記２つの側部領域の前記外側表面に設けられた複数の対向したひもガイドと、前記対向したガイド間を往復して延びるひもとを含む、上記態様１〜２６のいずれかに記載の圧迫装置。
［２８］  前記閉鎖システムが、前記ひもに張力を作用させることによって、前記対向したガイドを互いの方向に進めるように構成された少なくとも１つの回転可能な締め付け機構を含み、具体的には、前記少なくとも１つの回転可能な締め付け機構が少なくとも１つのガイドと一体に成形され、かつ／又は前記ひもが自由端を有しない、上記態様２７に記載の圧迫装置。
［２９］  前記閉鎖システムが、機械的締め付け閉鎖システムを含む、上記態様１〜２６のいずれかに記載の圧迫装置。
［３０］  前記第１の側部領域及び／又は前記第２の側部領域に、それぞれが近位端部及び遠位端部を有する複数のタブが設けられ、前記近位端部が前記スリーブの前記第１の側縁領域及び／又は前記第２の側縁領域にそれぞれ解放可能又は固定的に取り付けられることにより、前記タブがそれぞれ前記第１の側縁部及び／又は前記第２の側縁部を横切って、前記スリーブのほぼ横断方向に、その遠位端部が前記スリーブの前記中央部分から遠くに位置するようにして延び、各タブが内側主表面を有し、前記タブの前記遠位端部の前記内側主表面が機械的締結システムの一部を含み、各タブに対向する前記第２の側縁領域及び／又は前記第１の側縁領域のそれぞれの少なくとも前記外側表面が、前記機械的締結システムの相補的部分を含む、上記態様２９に記載の圧迫装置。
［３１］  前記タブが、前記側縁部を超えて外側に少なくとも２ｃｍ延び、かつ／又は、
各タブが、少なくとも６ｃｍの前記スリーブの横断方向に対する幅を有し、かつ／又は、
各タブが、最大で２５ｃｍの前記スリーブの横断方向に対する幅を有し、かつ／又は、
各タブが、少なくとも１ｃｍ、具体的には少なくとも２ｃｍ、より具体的には少なくとも３ｃｍの前記スリーブの横断方向に対する高さを有し、かつ／又は、
各締結タブが、最大で１０ｃｍ、具体的には最大で８ｃｍ、より具体的には最大で６ｃｍの前記スリーブの横断方向に対する高さを有する、上記態様３０に記載の圧迫装置。
［３２］  前記タブの前記遠位端部の前記内側主表面に、フック、ステム、及び／又はカップ形状の締結要素が設けられ、各タブに対向する前記第２の側縁領域及び／又は前記第１の側縁領域の前記外側表面のそれぞれが、前記締結要素により係合されるように適合された構造を有するか又はこうした構造が設けられる、上記態様３０又は３１に記載の圧迫装置。
［３３］  前記各タブの前記近位端部の前記内側主表面に、フック、ステム、及び／又はカップ形状の締結要素（第２のタブ締結要素）が設けられ、前記スリーブの前記第１の側縁領域及び／又は前記第２の側縁領域の前記外側表面が、前記第２のタブ締結要素により係合されるように適合された構造を有するか又はこうした構造が設けられ、前記締結タブの前記近位端部の前記内側主表面が、前記スリーブの前記第１の側縁領域及び／又は前記第２の側縁領域の前記外側表面のそれぞれに解放可能に取り付けられる、上記態様３０〜３２のいずれかに記載の圧迫装置。
［３４］  前記スリーブの前記第２の側縁領域に、前記スリーブの前記上縁部と前記下縁部との間に連続して複数のアイレット又は複数のリングが設けられ、前記装置が、複数のストリップ形状の機械的締結タブを更に備え、適用可能な場合、それぞれのアイレット又はリングに対して、内側タブ部分によって連結された近位端部と遠位端部とを有する１個のタブが設けられ、適用可能な場合、前記タブが、アイレット又はリングに対向して位置するとともに、その遠位端部が前記スリーブの前記中央部分から遠くに位置するようにして前記スリーブのほぼ横断方向に延びるように、前記近位端部が、前記スリーブの前記第１の側縁領域に解放可能又は固定的に取り付けられ、各タブが、前記スリーブの前記外側表面に向かって位置する内側主表面と、前記スリーブの前記外側表面から離れて位置する外側主表面とを有し、前記タブの前記遠位端部の前記外側主表面が、機械的締結システムの一部を含み、前記タブの前記近位端部の前記外側主表面が、前記機械的締結システムの相補的部分を含み、適用可能な場合、前記タブ及びアイレット又はリングが、適用可能な場合、使用時に、前記タブが前記アイレット又はリングに通され、次いでそれ自体の上に折り返されることにより、適用可能な場合、前記スリーブの前記第１の側縁部が前記アイレット又はリングの方向に引かれ、次いで前記スリーブが前記使用者の前記身体部分の周囲に締め付けられて拘束されるよう締結されるように、構成及び配置されている、上記態様２９に記載の圧迫装置。
［３５］  前記締結タブが前記第１の側縁部を横切って延びるように、具体的には前記締結タブが前記側縁部を外側に少なくとも２ｃｍ超えて延びるように、前記締結タブが取り付けられ、
各締結タブが、少なくとも６ｃｍの前記スリーブの横断方向に対する幅を有し、かつ／又は、
各締結タブが、最大で２５ｃｍの前記スリーブの横断方向に対する幅を有し、かつ／又は、
各締結タブが、少なくとも１ｃｍ、具体的には少なくとも２ｃｍ、より具体的には少なくとも３ｃｍの前記スリーブの横断方向に対する高さを有し、かつ／又は、
各締結タブが、最大で１０ｃｍ、具体的には最大で１０ｃｍ、より具体的には最大で６ｃｍの前記スリーブの横断方向に対する高さを有し、
前記スリーブが、前記使用者の前記身体部分に使用される際、平面（Ｐ）内にある中心軸（Ａ）を中心として配置され、適用可能な場合、前記複数のアイレット又はリングが第２の軸（Ｒ）に沿って延び、その場合、前記中心軸（Ａ）を含む前記平面（Ｐ）上への前記第２の軸（Ｒ）の投射に関して、前記第２の軸（Ｒ）が前記中心軸に対して平行に整列するか又はほぼ平行に整列し、かつ／又は、
適用可能な場合、前記複数のアイレット又はリングが、アイレット又はリングの間の間隙を含めて、前記上縁部から前記下縁部までの前記スリーブの高さの少なくとも７０％に相当する前記高さにわたってそれぞれ延び、かつ／又は、
適用可能な場合、アイレット及び各リングの間の間隙の前記高さが、０．１ｍｍ以上〜７ｃｍ以下、具体的には０．３ｍｍ以上〜３ｃｍ以下、より具体的には０．５ｍｍ〜２ｃｍの範囲である、上記態様３４に記載の圧迫装置。
［３６］  前記締結タブの前記内側タブ部分の前記外側主表面が、前記機械的締結システムの前記相補的部分を有する、上記態様３４又は３５に記載の圧迫装置。
［３７］  前記締結タブの前記遠位端部の前記外側主表面に、フック、ステム及び／又はカップ形状の締結要素（タブ締結要素）が設けられ、前記締結タブの前記近位端部の前記外側主表面が、前記締結要素によって係合されるように適合された構造を有するか又はこうした構造が設けられる、上記態様３４〜３６のいずれかに記載の圧迫装置。
［３８］  前記締結タブの前記内側タブ部分の前記外側主表面が、前記締結要素によって係合されるように適合された構造を有するか又はこうした構造が設けられる、上記態様３７に記載の圧迫装置。
［３９］  前記締結タブの前記近位端部の前記内側主表面に、フック、ステム、及び／又はカップ形状の締結要素（第２のタブ締結要素）が設けられ、前記スリーブの前記第１の側縁領域の前記外側表面が、前記第２のタブ締結要素により係合されるように適合された構造を有するか又はこうした構造が設けられ、前記締結タブの前記近位端部の前記内側主表面が、前記スリーブの前記第１の側縁領域の前記外側表面に解放可能に取り付けられる、上記態様３４〜３８のいずれかに記載の圧迫装置。
［４０］  前記締結タブの前記遠位端部の前記外側主表面の前記タブ締結要素が第１のタブ締結要素であり、前記スリーブの前記第１の側縁領域の前記外側表面が、前記第１及び第２のタブ締結要素によって係合されるように適合された構造を有するか又はこうした構造が設けられる、上記態様３７又は３８に従属する上記態様３９に記載の圧迫装置。
［４１］  前記スリーブの前記第１の側縁領域が、トリミング可能である、上記態様３４〜４０のいずれかに記載の圧迫装置。
［４２］  前記スリーブに前記一連のリングが設けられ、各リングが、前記スリーブと前記リングとの間で、前記スリーブのほぼ横断方向に延びるストラップにより解放可能又は固定的に取り付けられる、上記態様３４〜４１のいずれかに記載の圧迫装置。
［４３］  前記リングが、前記スリーブの前記第２の側縁部に沿って、前記縁部に隣接して又は前記縁部から離間し、かつ前記第２の側縁部から遠くに配置され、かつ／又は、
各ストラップが、少なくとも１ｃｍ、具体的には少なくとも２ｃｍ、より具体的には少なくとも３ｃｍの前記スリーブの横断方向に対する高さを有し、かつ／又は、
各ストラップが、最大で１０ｃｍ、具体的には最大で８ｃｍ、より具体的には最大で６ｃｍの前記スリーブの横断方向に対する高さを有し、かつ／又は、
ストラップ間の間隙の前記高さが、０．３ｍｍ以上〜７ｃｍ以下、具体的には０．３ｍｍ以上〜３ｃｍ以下、より具体的には０．５ｍｍ〜２ｃｍの範囲である、上記態様４２に記載の圧迫装置。
［４４］  前記ストラップの少なくとも一部が少なくとも横断方向に伸展可能であり、前記伸展可能な部分が、少なくとも横断方向に弾性を有する材料を含むとともに、前記伸展可能な部分が非伸展状態にある場合には外側に隆起した材料のループが外面に形成され、使用時に前記スリーブの横断方向に張力がかかっている場合には前記伸展可能な部分が横断方向に伸展して前記ループが平らに潰れるように、構成及び配置されている、上記態様４２又は４３に記載の圧迫装置。
［４５］  前記ループ材料の弾性率に前記ループ材料の厚さを乗じた積が、前記主材料の弾性率に前記主材料の厚さを乗じた積の少なくとも９０％であり、具体的には、前記ループ材料の弾性率に前記ループ材料の厚さを乗じた積が、前記主材料の弾性率に前記主材料の厚さを乗じた積に等しいか又はそれよりも大きい、上記態様４４に記載の圧迫装置。
［４６］  前記ストラップの前記伸展可能な部分が、外側の材料層及び内側の材料層の２層を有し、各前記材料が少なくとも横断方向に弾性を有し、前記内側層の材料の弾性率に前記内側層の材料の厚さを乗じた積が、前記外側層の材料の弾性率に前記外側層の材料の厚さを乗じた積よりも小さく、前記外側層の材料が前記ループ材料であり、前記内側の材料層が前記外側の材料層に結合されることにより、前記伸展可能なストラップ部分が非伸展状態にある場合、前記内側層の上に前記外側層の材料のループが形成され、該ループは、使用時に前記ストラップの伸展可能な部分に横断方向の張力、したがって伸展がかかっている場合には平らに潰れることができる、上記態様４４又は４５に記載の圧迫装置。
［４７］  前記内側層の材料の弾性率に前記内側層の材料の厚さを乗じた積が、前記外側層の材料の弾性率に前記外側層の材料の厚さを乗じた積よりも少なくとも２倍、具体的には少なくとも４倍低い、上記態様４６に記載の圧迫装置。
［４８］  前記ストラップの前記伸展可能な部分が、その非伸展状態において、少なくとも０．１ｃｍ、具体的には少なくとも０．５ｃｍの前記スリーブの横断方向に対する幅を有し、かつ／又は、
前記ストラップの前記部分がその非伸展状態において、最大で４ｃｍ、具体的には最大で３ｃｍの前記スリーブの横断方向に対する幅を有し、かつ／又は、
前記ストラップの前記伸展可能な部分が、その伸展状態における前記ループがちょうど完全に平らに潰れる点において、少なくとも１ｃｍの前記スリーブの横断方向に対する幅を有し、かつ／又は、
前記ストラップの前記部分が、その伸展状態における前記ループがちょうど完全に平らに潰れる点において、最大で８ｃｍ、具体的には最大で６ｃｍの前記スリーブの横断方向に対する幅を有する、上記態様４４〜４７のいずれかに記載の圧迫装置。
［４９］  前記ストリップの前記部分が非伸展状態にある場合、前記リングが、前記スリーブの前記第２の側縁部に沿って、前記縁部に隣接するか又は前記縁部から離間して、かつ前記第２の側縁部分から遠くに配置され、具体的には、各リングが前記スリーブの前記第２の側縁部の近くに側縁部を有する場合、前記リングの前記側縁部が、前記スリーブの前記第２の側縁部に隣接して配置されるか又は前記第２の側縁部から最大で４ｃｍ、具体的には最大で３ｃｍの距離だけ離間して配置される、上記態様４４〜４８のいずれかに記載の圧迫装置。
［５０］  前記閉鎖システムがジッパーであり、前記第１の側縁部に前記ジッパーの半分が設けられ、前記第２の側縁部に前記ジッパーの相補的な半分が設けられる、上記態様１〜２６のいずれかに記載の圧迫装置。
［５１］  前記スリーブが、前記スリーブの前記上縁部と前記下縁部との間にほぼ縦に延びる細長い伸展可能なガセットを含み、前記ガセットが前記スリーブの少なくとも横断方向に伸展可能であり、前記伸展可能なガセットが、少なくとも横断方向に弾性を有する材料を含むとともに、前記伸展可能なガセットがその非伸展状態にある場合には外側に隆起した材料のループが外面に形成され、使用時に前記スリーブの横断方向に張力がかかっている場合には前記伸展可能なガセットが横断方向に伸展して、前記ループが平らに潰れるように、構成及び配置されている、上記態様１〜５０のいずれかに記載の圧迫装置。
［５２］  前記ループ材料の弾性率に前記ループ材料の厚さを乗じた積が、前記主材料の弾性率に前記主材料の厚さを乗じた積の少なくとも９０％であり、具体的には、前記ループ材料の弾性率に前記ループ材料の厚さを乗じた積が、前記主材料の弾性率に前記主材料の厚さを乗じた積に等しいか又はそれよりも大きい、上記態様５１に記載の圧迫装置。
［５３］  前記ガセットが、前記スリーブの隣接して位置する材料と少なくとも部分的に一体に形成されるか、又は前記スリーブ内に嵌め込み要素として設けられる、上記態様５１又は５２に記載の圧迫装置。
［５４］  前記ガセットが、外側の材料層及び内側の材料層の２層を有し、各前記材料が少なくとも横断方向に弾性を有し、前記内側層の材料の弾性率に前記内側層の材料の厚さを乗じた積が、前記外側層の材料の弾性率に前記外側層の材料の厚さを乗じた積よりも小さく、前記外側層の材料が前記ループ材料であり、前記内側の材料層が前記外側の材料層に結合されることにより、前記ガセットがその非伸展状態にある場合、前記内側層の上に前記外側層の材料のループが形成され、該ループは、使用時に前記ガセットに横断方向の張力、したがって伸展がかかっている場合には平らに潰れることができる、上記態様５１〜５３のいずれかに記載の圧迫装置。
［５５］  前記内側層の材料の弾性率に前記内側層の材料の厚さを乗じた積が、前記外側層の材料の弾性率に前記外側層の材料の厚さを乗じた積よりも少なくとも２倍、具体的には少なくとも４倍低い、上記態様５４に記載の圧迫装置。
［５６］  前記ガセットの前記外側層が前記スリーブの隣接して位置する材料と一体に形成され、前記ガセットの前記内側層が、前記スリーブの前記内側表面に接着される別の材料のストリップとされるか、又は前記２層のガセットが前記スリーブ内に嵌め込み要素として設けられる、上記態様５４又は５５に記載の圧迫装置。
［５７］  前記ガセットが、その非伸展状態において、少なくとも０．１ｃｍ、具体的には少なくとも０．５ｃｍの前記スリーブの横断方向に対する幅を有し、かつ／又は、
前記ガセットが、その非伸展状態において、最大で４ｃｍ、具体的には最大で３ｃｍの前記スリーブの横断方向に対する幅を有し、かつ／又は、
前記ガセットが、その伸展状態における前記ループがちょうど完全に平らに潰れる点において、少なくとも１ｃｍの前記スリーブの横断方向に対する幅を有し、かつ／又は、
前記ガセットが、その伸展状態における前記ループがちょうど完全に平らに潰れる点において、最大で８ｃｍ、具体的には最大で６ｃｍの前記スリーブの横断方向に対する幅を有する、上記態様５１〜５６のいずれかに記載の圧迫装置。
［５８］  前記スリーブが、前記使用者の前記身体部分に使用される際、平面（Ｐ）内にある中心軸（Ａ）を中心として配置され、前記ガセットが第３の軸（Ｇ）に沿って延び、その場合、前記中心軸（Ａ）を含む前記平面（Ｐ）上への前記第３の軸（Ｇ）の投射に関して、前記第３の軸（Ｇ）は、前記中心軸に対して平行に整列するか、又は最大で２５°以下の鋭角（β）をなして傾斜する、上記態様５１〜５７のいずれかに記載の圧迫装置。
［５９］  前記ガセットが、前記上縁部から前記下縁部までの前記スリーブの高さの７０％〜１００％に相当する前記高さにわたって延び、具体的には、前記ガセットが前記スリーブの前記上縁部から前記下縁部にまで延びる、上記態様５１〜５８のいずれかに記載の圧迫装置。
【手続補正２】
【補正対象書類名】特許請求の範囲
【補正対象項目名】全文
【補正方法】変更
【補正の内容】
【特許請求の範囲】
【請求項１】
使用者の身体部分に圧迫を加えるための圧迫装置であって、
前記使用者の身体部分の一部を実質的に覆うためのスリーブを備え、
前記スリーブが、外側表面、内側表面、上縁部、下縁部、及び２つの側縁部を有し、第１の側縁部から第２の側縁部にかけての横断方向において、前記スリーブが、第１の側部領域、中央領域、及び第２の側部領域を有し、前記スリーブの少なくとも前記中央領域が、少なくとも前記スリーブの横断方向における弾性として、１０Ｎ／ｃｍ幅の荷重下で５％〜最大３０％以下の前記横断方向における最大伸長率を有し、かつ、伸長率２０％〜伸長率２５％における横断方向の張力の差分商が０．６Ｎ／ｃｍ幅／伸長率（％）以上である材料（主材料）を含み、
前記装置が解放可能な閉鎖システムを更に備え、使用時に前記閉鎖システムが閉鎖される際、前記スリーブが前記使用者の前記身体部分の周囲に拘束及び締め付けられるように、前記閉鎖システムが構成され、かつ前記スリーブに対して配置されている、圧迫装置。
【請求項２】
前記主材料の伸長率３０％における長手方向の張力に対する伸長率３０％における横断方向の張力の比が、１．８超であり、具体的には２．０以上、より具体的には２．２以上であり、
かつ／又は、
前記主材料の１分間の保持後の伸長率３０％における長手方向の張力に対する１分間の保持後の伸長率３０％における横断方向の張力の比が、１．８超であり、具体的には２．０以上、より具体的には２．２以上である、請求項１に記載の圧迫装置。
【請求項３】
前記主材料の内側表面から外側表面への水蒸気透過率が、２０００ｇ／（ｍ２・２４時間）以上、具体的には２２００ｇ／（ｍ２・２４時間）以上である、請求項１又は２に記載の圧迫装置。
【請求項４】
前記スリーブ及び前記閉鎖システムが、使用時に、前記閉鎖システムの閉鎖に際して、前記スリーブの前記２つの側縁部同士が互いに引き寄せられるが、重なり合わないように構成及び配置される、請求項１〜３のいずれか一項に記載の圧迫装置。
【請求項５】
前記閉鎖システムが、機械的締結閉鎖システムを含み、前記第１の側部領域及び／又は前記第２の側部領域に、それぞれが近位端部及び遠位端部を有する複数のタブが設けられ、前記近位端部が前記スリーブの前記第１の側縁領域及び／又は前記第２の側縁領域にそれぞれ解放可能又は固定的に取り付けられることにより、前記タブがそれぞれ前記第１の側縁部及び／又は前記第２の側縁部を横切って、前記スリーブのほぼ横断方向に、その遠位端部が前記スリーブの前記中央部分から遠くに位置するようにして延び、各タブが内側主表面を有し、前記タブの前記遠位端部の前記内側主表面が機械的締結システムの一部を含み、各タブに対向する前記第２の側縁領域及び／又は前記第１の側縁領域のそれぞれの少なくとも前記外側表面が、前記機械的締結システムの相補的部分を含む、請求項１〜４のいずれか一項に記載の圧迫装置。
【請求項６】
前記閉鎖システムが、機械的締結閉鎖システムを含み、前記スリーブの前記第２の側縁領域に、前記スリーブの前記上縁部と前記下縁部との間に連続して複数のアイレット又は複数のリングが設けられ、前記装置が、複数のストリップ形状の機械的締結タブを更に備え、適用可能な場合、それぞれのアイレット又はリングに対して、内側タブ部分によって連結された近位端部と遠位端部とを有する１個のタブが設けられ、適用可能な場合、前記タブが、アイレット又はリングに対向して位置するとともに、その遠位端部が前記スリーブの前記中央部分から遠くに位置するようにして前記スリーブのほぼ横断方向に延びるように、前記近位端部が、前記スリーブの前記第１の側縁領域に解放可能又は固定的に取り付けられ、各タブが、前記スリーブの前記外側表面に向かって位置する内側主表面と、前記スリーブの前記外側表面から離れて位置する外側主表面とを有し、前記タブの前記遠位端部の前記外側主表面が、機械的締結システムの一部を含み、前記タブの前記近位端部の前記外側主表面が、前記機械的締結システムの相補的部分を含み、適用可能な場合、前記タブ及びアイレット又はリングが、適用可能な場合、使用時に、前記タブが前記アイレット又はリングに通され、次いでそれ自体の上に折り返されることにより、適用可能な場合、前記スリーブの前記第１の側縁部が前記アイレット又はリングの方向に引かれ、次いで前記スリーブが前記使用者の前記身体部分の周囲に締め付けられて拘束されるよう締結されるように、構成及び配置されている、請求項１〜４のいずれか一項に記載の圧迫装置。
【請求項７】
前記スリーブの前記第１の側縁領域が、トリミング可能である、請求項６に記載の圧迫装置。
【請求項８】
前記スリーブに前記一連のリングが設けられ、各リングが、前記スリーブと前記リングとの間で、前記スリーブのほぼ横断方向に延びるストラップにより解放可能又は固定的に取り付けられ、
前記ストラップの少なくとも一部が少なくとも横断方向に伸展可能であり、前記伸展可能な部分が、少なくとも横断方向に弾性を有する材料を含むとともに、前記伸展可能な部分が非伸展状態にある場合には外側に隆起した材料のループが外面に形成され、使用時に前記スリーブの横断方向に張力がかかっている場合には前記伸展可能な部分が横断方向に伸展して前記ループが平らに潰れるように、構成及び配置されている、請求項６又は７に記載の圧迫装置。
【請求項９】
前記ストラップの前記伸展可能な部分が、外側の材料層及び内側の材料層の２層を有し、各前記材料が少なくとも横断方向に弾性を有し、前記内側層の材料の弾性率に前記内側層の材料の厚さを乗じた積が、前記外側層の材料の弾性率に前記外側層の材料の厚さを乗じた積よりも小さく、前記外側層の材料が前記ループ材料であり、前記内側の材料層が前記外側の材料層に結合されることにより、前記伸展可能なストラップ部分が非伸展状態にある場合、前記内側層の上に前記外側層の材料のループが形成され、該ループは、使用時に前記ストラップの伸展可能な部分に横断方向の張力、したがって伸展がかかっている場合には平らに潰れることができる、請求項８に記載の圧迫装置。
【請求項１０】
前記スリーブが、前記スリーブの前記上縁部と前記下縁部との間にほぼ縦に延びる細長い伸展可能なガセットを含み、前記ガセットが前記スリーブの少なくとも横断方向に伸展可能であり、前記伸展可能なガセットが、少なくとも横断方向に弾性を有する材料を含むとともに、前記伸展可能なガセットがその非伸展状態にある場合には外側に隆起した材料のループが外面に形成され、使用時に前記スリーブの横断方向に張力がかかっている場合には前記伸展可能なガセットが横断方向に伸展して、前記ループが平らに潰れるように、構成及び配置されている、請求項１〜９のいずれか一項に記載の圧迫装置。